(57)【特許請求の範囲】
【請求項１】
外部装置に接続されて電力及び情報の授受を行なうためのアンテナ及び外部端子と、前記アンテナに接続されたＩＣチップと、自己保持可能な表示媒体と、前記表示媒体に接続された補助電源部と、前記補助電源部に接続された操作ボタンとを有する、1つのＩＣチップにアクセスする接触型非接触型両用カードの形態をなす情報記録媒体であって、
前記情報記録媒体が外部装置に接続されている場合は、受信した情報の一部を表示部に表示すると共に情報記録媒体に設けられた充電モード切り替え手段によって補助電源部に電力を充電し、外部装置に接続されていない場合は、前記操作ボタンによって前記表示媒体に表示情報を表示することを特徴とする補助電源付情報記録媒体。
【請求項２】
前記補助電源は２次電池であって、前記外部装置に接続されて電力及び情報の授受を行なう場合は、前記外部装置から情報記録媒体に送信される充電切り替えコマンドにより前記２次電池との接続を無効とすることを特徴とする請求項１に記載の補助電源付情報記録媒体。
【請求項３】
前記補助電源は太陽電池であって、前記外部装置に接続されて電力および情報の授受を行なう場合は、前記外部装置から情報記録媒体に送信される充電切り替えコマンドにより前記太陽電池との接続を無効とすることを特徴とする請求項１に記載の補助電源付情報記録媒体。
【請求項４】
前記操作ボタンは、情報記録媒体の外部端子の予備端子を経由してＩＣチップに接続され、操作ボタンに触れることによって導通して補助電源部からＩＣチップに電力が供給されることを特徴とする請求項１〜３何れかに記載の補助電源付情報記録媒体。
【発明の詳細な説明】
【０００１】
【発明の属する技術分野】
本発明は、補助電源内蔵ＩＣカードに関し、詳しくは、ＩＣカードの表示媒体に、ＩＣチップが記憶している情報の一部をＩＣカード単体で表示させるようにした補助電源内蔵ＩＣカードに関する。
【０００２】
【従来の技術】
近年、クレジットカードや、キャッシュカードに見られる磁気記録層を形成した磁気カードに代わって、記憶容量が磁気カードに比べると格段に高く、セキュリティー性が高いＩＣカードが広い分野で利用されている。
ＩＣカードには、接点を介して外部装置と交信を行う接触型のＩＣカードと、アンテナを内蔵して、アンテナを介して外部装置と交信を行う非接触型のＩＣカード、更に、上記両方の機能を有する接触型非接触型両用ＩＣカードがあり、目的に応じて使い分けられている。
非接触型ＩＣカードは、交信の際に外部装置にカードを挿入する必要がないため、処理に要する時間が短くてすみ、また、接点を持たないため、外部装置に対するカードの接続不良のトラブルもなく、信頼性の高いシステムが構築できる。
非接触型ＩＣカードは、カード内部に電波を受信するアンテナを有しており、情報だけでなくＩＣ回路の駆動に必要な電力もこのアンテナを介して供給される。
外部装置は、無線によってＩＣカード内のＩＣチップのメモリに記録されている内容にアクセスし、必要なデータを読み出したり、新しいデータを書き込んだりする。
【０００３】
ＩＣカードに表示部を形成し、ＩＣチップのメモリに記録されている情報の一部をこの表示部に表示するようになっている表示部付きＩＣカードがある。
表示の方式として、例えば、電気泳動方式のように消費電力が大きい方式や、液晶方式等のように消費電力が比較的少ない方式があるが、電力の消費量が少ない方式が選択されている。
表示部に前述のような方式によって目視情報を表示させるためには、電池を搭載する必要があるが、カードの内部はスペースが小さいため電池の選定も課題の１つとなっている。
【０００４】
プリペイドカードや、ポイントカードでは、情報記録部が磁気記録方式を採用している場合が多く、表示部を形成する場合も接触記録方式を選択することができる。例えば、磁気ストライプに記録された情報の一部をカード基体に形成された感熱発色型のリライト材料に記録し表示する方式である。
前述の非接触で交信するＩＣカードに対してこの種の可逆記録材料によって表示部を設けたとしても、非接触では書き替えができず、非接触ＩＣカードのメリットを十分活かすことができない。
【０００５】
ＩＣカードに情報を可視的に表示できる液晶表示素子を搭載させ、さらに、表示した情報を自己保持可能にするために電池を内蔵させ、ＩＣカードのＩＣメモリに格納されている情報を表示する方法が紹介されている。
上記従来の表示技術は、外部端子を介して情報の交信を行う接触型ＩＣカードが対象であった。
【０００６】
【発明が解決しようとする課題】
そこで、非接触型ＩＣカードに表示媒体を搭載し、非接触状態で表示媒体に情報を表示させるための電源を搭載した補助電源付情報記録媒体を提供する。
【０００７】
【課題を解決するための手段】
上記課題を達成するために、本発明の請求項１に記載の補助電源付情報記録媒体は、外部装置に接続されて電力及び情報の授受を行なうためのアンテナ及び外部端子と、前記アンテナに接続されたＩＣチップと、自己保持可能な表示媒体と、前記表示媒体に接続された補助電源部と、前記補助電源部に接続された操作ボタンとを有する、1つのＩＣチップにアクセスする接触型非接触型両用カードの形態をなす情報記録媒体であって、前記情報記録媒体が外部装置に接続されている場合は、受信した情報の一部を表示部に表示すると共に情報記録媒体に設けられた充電モード切り替え手段によって補助電源部に電力を充電し、外部装置に接続されていない場合は、前記操作ボタンによって前記表示媒体に表示情報を表示することを特徴とするものである。
【０００８】
請求項２に記載の発明の補助電源付情報記録媒体は、請求項１に記載の発明において、前記補助電源は２次電池であって、前記外部装置に接続されて電力及び情報の授受を行なう場合は、前記外部装置から情報記録媒体に送信される充電切り替えコマンドにより前記２次電池との接続を無効とすることを特徴とするものである。
【０００９】
請求項３に記載の発明の補助電源付情報記録媒体は、請求項１に記載の発明において、前記補助電源は太陽電池であって、前記外部装置に接続されて電力および情報の授受を行なう場合は、前記外部装置から情報記録媒体に送信される充電切り替えコマンドにより前記太陽電池との接続を無効とすることを特徴とするものである。
【００１０】
請求項４に記載の発明の補助電源付情報記録媒体は、請求項１〜３何れかに記載の発明において、前記操作ボタンは、情報記録媒体の外部端子の予備端子を経由してＩＣチップに接続され、操作ボタンに触れることによって導通して補助電源部からＩＣチップに電力が供給されることを特徴とするものである。
【００１１】
【発明の実施の形態】
以下、図面を参照しながら、本発明の補助電源付情報記録媒体について説明する。
【００１２】
図１は、本発明の補助電源付情報記録媒体の内部構成について説明するためのブロック図、図２は、非接触ＩＣカードに設けられた周波数切替手段の構成を示すブロック図、図３は、非接触ＩＣカードに設けられた充電モード切替手段の構成を示すブロック図、図４は、接触型非接触型両用ＩＣカードのアンテナ内に設けられたアンテナ回路と充電回路の構成を示すブロック図、図５は、本発明の補助電源付情報記録媒体の１実施例の表面平面図である。
【００１３】
最初に、ＩＣカードの種類と、構成について概略説明する。
接触型ＩＣカードは、カード基体の片側に凹部を形成し、６から８個の独立した接点を有する基板を、接点がカード基板面と同一平面になるように埋設し、接点基板の裏側には、ＩＣチップを搭載してチップの端子と前述の独立した接点の裏側をワイヤで結線し接続している。
【００１４】
また、非接触型ＩＣカードは、プラスチック製のカード基体の内側周辺部に溝を形成してその中に細い導線を渦巻き状に埋設し、その２本の終端をＩＣチップのアンテナ端子に接続し、アンテナ、ＩＣチップ共に外から見えないようにカード基体で被覆している。
【００１５】
接触型非接触型両用ＩＣカードは、１枚のカードで接触型としても、非接触型としても使用できるＩＣカードで、ＩＣチップにアンテナ接続用端子を備えており、カードに内蔵したアンテナの終端が前記アンテナ接続用端子に接続されている。
この接触型非接触型両用ＩＣカードは、クレジットカードや、キャッシュカードと社員証を１枚にまとめ、兼用カードとして利用されている。
クレジット端末や、銀行のＡＴＭに対しては接触型として使用され、ビルの出入り口に設置されているゲート端末に対しては非接触型として使用される。
【００１６】
接触型ＩＣカードに関しては、端末に差込んで使用するために接触して記録する表示媒体を使用することができるが、非接触型ＩＣカードは端末に差し込んで使用することが少ないために、従来のような表示媒体が使用できない。
本発明は、このような非接触ＩＣカードに対して、表示部を設け、非接触状態で表示部に情報を表示させようとするものである
【００１７】
ＩＣカードは、図１に示すようにＣＰＵ（中央演算処理装置）３２、ＲＯＭ（読み出し専用メモリ）３３、ＲＡＭ（随時読書きメモリ）３４、ＥＥＰＲＯＭ（電気的に消去可能な不揮発性メモリ）３５を、通常一枚のシリコン基板上に組み込んだＩＣチップを搭載している。
また、ＩＣチップには、インターフェース部品と接続するための接続端子が形成されており、矩形状の基板の周縁部に設けられた前記接続端子は、接触型のＩＣカードであれば６〜８個の外部端子とそれぞれ金属ワイヤでボンディングされている。
ＣＰＵ３２は、ＩＣカードを動かすプログラムが搭載されているＲＯＭ３３や、プログラムを実行する作業空間であるＲＡＭ３４や、ＩＣカードを利用する対象の固有情報や、利用履歴データなどの情報や、後発的に発生したアプリケーションプログラム等を格納するＥＥＰＲＯＭ３５に接続され、前記各メモリを制御している。
【００１８】
（実施例１）
図１を参照して、本発明の一実施例である２次電池を使用して表示媒体に表示情報を表示する補助電源付情報記録媒体について説明する。
図１に示すように、本発明の補助電源付情報記録媒体（以下非接触ＩＣカードという）１は、ＩＣチップにＣＰＵ３２を搭載し、ＲＯＭ３３、あるいはＥＥＰＲＯＭ３５に書きこまれたプログラムに従い、非接触ＩＣカード１の動作を制御している。ＲＡＭ３４は、インターフェース部３１へ伝送するデータを記憶しているメモリである。
また、表示しないがインターフェース部３１にデータを送信あるいは受信するための回路であるロジック回路、および、変復調回路を形成している。点線で表示しているＩＣチップ３には、電力を供給する補助電源部２０、および、信号を送受信するためのアンテナ（３１０）が接続されている。また、ＣＰＵ３２へクロックを供給するための振動子（図示せず）を接続しても良い。
【００１９】
非接触ＩＣカード１の補助電源２０には、コイン型電池、ペーパーリチウム電池等が使用される。
電池には充電できない１次電池と、充電が可能な２次電池とがある。２次電池を用いた場合には、アンテナ（３１０）から受信した電力を適切な回路を介して直流電流に変換することにより充電する。
アンテナ（３１０）が受信する信号強度は、発信源からの距離が、波長／２π以内では、その距離の３乗に反比例することが知られているが、２次電池（２０）に効率良く充電するためには、非接触ＩＣカード１のアンテナ（３１０）を、即ち、ＩＣカードを発信源である外部装置４のアンテナ（図示せず）に合わせて置くことが必要である。
また、非接触ＩＣカード１を使用しないときは、外部装置４を常時信号を出すモード（充電モード）に設定しておき、非接触ＩＣカード１に内蔵する２次電池に充電するように設定する。
【００２０】
非接触ＩＣカード１のＣＰＵ３２は、使用していない状態ではスリープモードになっており電力の消費を押さえている。
ＣＰＵ３２を使用する際には、外部装置４からのトリガ信号を非接触ＩＣカード１のアンテナ（３１０）に送信してＣＰＵ３２を起動させるようになっている。
【００２１】
充電中は、非接触ＩＣカード１のＣＰＵ３２が起動しないように、ＣＰＵ３２の起動動作を禁止させる必要があるが、そのための方法としては、例えば、ＣＰＵ３２を起動するための起動信号やデータ信号等の通常時の搬送波周波数と、充電用のための電力周波数を異なるように設定しておき、充電モード時と通常モード時とで周波数を切り換えるための周波数切り換え手段を外部装置側に設けておく。
【００２２】
後述するように、搭載されている補助電源は充電によって電力を常に一定以上の状態に保ち、非接触ＩＣカード１に搭載されている情報の中の表示情報１３５を表示媒体２に表示する。
表示手順としては、ＩＣカード１の表面に形成されている操作部（３１２）を操作することによって、補助電源部２０を起動させ、本実施例の場合、表示媒体ドライバ１３２によってＩＣチップのメモリの１つＥＥＰＲＯＭ３５に格納されている表示情報１３５を表示媒体に表示する。
【００２３】
図２を参照して補助電源部に電力を充電する方法について説明する。
通信コントローラに内蔵されたＭＣＵ２０１がプリスケーラ３０１と接続され、ＭＣＵ２０１からの信号により所定の値の分周比Ｎが設定される。
また、ＭＣＵ２０１は、切替スイッチ３０３と接続されＭＣＵ２０１からの切替制御信号が入力されて充電時と通常時の切り替えを行う。
また、プリスケーラ３０１には分周器３０２が接続されており、分周器３０２には、発振子３０５及び発振回路３０４が接続されている。分周器３０２は、プリスケーラ３０１から分周比Ｎが入力され、発振子３０５、および、発振回路３０４からの発振周波数を分周して、搬送波信号を出力している。
このように、プリスケーラ３０１、分周器３０２、切替スイッチ３０３、発振子３０５、および、発振回路３０４により周波数切り替えが行われる。
【００２４】
非接触ＩＣカード１が外部装置４と通信中のときは、通信コントローラのＭＣＵ２０１は、プリスケーラ３０１の分周比Ｎを所定の値に設定するとともに、切替スイッチ３０３に入力される切替制御信号に「０」出力する。
切替スイッチ３０３は、上記の切替制御信号により送受信回路内の変調回路２０２に電気的に接続する。
【００２５】
非接触ＩＣカード１が充電モードに変わる場合は、通信コントローラのＭＣＵ２０１は、プリスケーラ３０１の分周比Ｎを、通信時に設定する値よりも小さい値に設定し、切替制御信号に「１」出力する。切替スイッチ３０３は、上記の切替制御信号により、分周器３０２からの搬送波信号を直接出力に切りかえる。
例えば、充電時においては、プリスケーラ３０１の分周比ＮをＮ＝１に設定し、分周器３０２は、発振子３０５、および、発振回路３０４からの発振周波数４．９１５２ＭＨｚを｛１／（２（Ｎ＋１））｝に分周して、周波数１．２２８８ＭＨｚの搬送波信号として、直接、アンテナ３１０に出力する。
【００２６】
一方、充電中にＣＰＵ３２が起動しないように、外部装置４のアンテナからのトリガ信号を一次的に遮断するための切替手段を回路中に設ける。
図３により、充電モード切り替え手段の構成について説明する。
まず、非接触ＩＣカード１のアンテナ３１０に変復調回路を介してＩ／Ｏロジックが電気的に接続されており、Ｉ／Ｏロジックに内部バスを介してＣＰＵ３２が電気的に接続されている。
ＣＰＵ３２は、Ｒ−Ｓフリップフロップ等から構成されたモード切替レジスタ２２０に電気的に接続されており、ＡＮＤ回路２１７は、モード切替レジスタ２２０と変復調回路とに接続され、それらから入力された信号から論理積信号を生成し、ＣＰＵ３２に入力する。
また、Ｉ／Ｏロジックは、ＯＲ回路２１８を介して、モード切替レジスタ２２０に電気的に接続されている。このように、モード切り替え手段は、モード切替レジスタ２２０、ＡＮＤ回路２１７、および、ＯＲ回路２１８から構成されている。必要があれば図のように、リセット回路２１９、および、リセット受信回路２２１を設けてもよい。
【００２７】
次に動作について説明する。
充電モード切り替え手段は前述のように構成されており、充電モードに移行する場合には、まず、外部装置から、予め規定された充電切替コマンドが、非接触ＩＣカード１のアンテナ３１０に送信される。
上記充電切替コマンドが、変復調回路の復調回路２１３、および、Ｉ／ＯロジックのＵＡＲＴ２１４を介して、ＣＰＵ３２に入力され、解読された後、ＣＰＵ３２は、ＣＰＵ３２の充電モード切替端子から「Ｈ」パルスを、モード切替レジスタ２２０のリセット端子Ｒに出力するとともに、ＣＰＵ３２に接続された発振子の発振を停止するスリープモードに移行する。
モード切替レジスタ２２０のリセット端子Ｒに「Ｈ」パルスが入力されると、モード切替レジスタ２２０の出力端子Ｑからの出力は「Ｌ」にセットされる。モード切替レジスタ２２０の出力が「Ｌ」にセットされると、ＡＮＤ回路２１７から出力される論理積信号である起動信号は常時「Ｌ」になり、ＣＰＵ３２の起動入力端子に「Ｌ」入力されるので、ＣＰＵ３２の起動が禁止される。
【００２８】
次に、通常の通信モードに移行させる方法について説明する。
リセット方式では、まず、外部装置から出力されたリセット指示をインターフェースを介してリセット信号に変換させて出力し、リセット受信回路２２１により受信する。リセット受信回路２２１により受信されたリセット信号により、リセット回路２１９から、ＣＰＵ３２のリセット端子と、ＯＲ回路２１８を介してモード切替レジスタ２２０のセット端子Ｓに、「Ｈ」パルスが出力される。ＣＰＵ３２は、ＲＥＳＥＴ端子に「Ｈ」パルスが入力されると、発振子の発振を停止しているスリープモードを解除し、発振子を起動させ、ＲＯＭ（３３），または，ＲＡＭ３４（図１参照）に内蔵されたプログラムの実行をリセット状態から再開する。また、モード切替レジスタ２２０のセット端子Ｓに「Ｈ」パルスが入力されると、モード切替レジスタ２２０の出力端子Ｑからの出力は「Ｈ」になるので、変復調回路の受信ゲートを介してＡＮＤ回路２１７に送信された起動信号が、ＡＮＤ回路２１７を介して、ＣＰＵ３２の起動入力端子に伝達され、通常通信モードに移行する。
【００２９】
上記のリセット方式の他にコマンド方式がある。
コマンド方式においては、まず、アンテナ３１０に、予め規定された充電解除コマンドを送信する。アンテナ３１０により受信された充電解除コマンドは、変復調回路の受信ゲート２１２を介して、復調回路２１３、および、クロック抽出回路２１５に入力され、一方は、復調回路２１３を介して、Ｉ／Ｏロジックの充電解除コマンド照合回路２１６の入力端子Ｄに入力され、また、残りの一方は、クロック抽出回路２１５において、クロック成分が抽出され、クロック信号となって、充電解除コマンド照合回路２１６の入力端子Ｔに入力される。
上記充電解除コマンド照合回路２１６は、入力端子Ｔから入力されたクロック信号に同期させて入力端子Ｄから入力された充電解除コマンドをラッチし、予めそこに設定されているコマンドコードと照合する。照合が一致した場合、充電解除コマンド照合回路２１６の出力端子Ｑから「Ｈ」出力する。これにより、ＯＲ回路２１８を介してモード切替レジスタ２２０のセット端子Ｓに「Ｈ」が入力され、モード切替レジスタ２２０からの出力も「Ｈ」となるので、変復調回路の受信ゲートからの起動信号は、ＡＮＤ回路２１７を介してＣＰＵ３２の起動入力端子に伝達され、通常通信モードに移行される。
前述のように外部装置側に周波数切り替え手段を設けても良いし、非接触ＩＣカード１側において、充電モード時と通常モード時とで周波数を切り替えるための周波数切り替え手段を設けてもよい。
【００３０】
図４は、非接触ＩＣカード１に設けられたアンテナ３１０内に設けられたアンテナ回路と、充電回路との構造を示したブロック図である。
図４に示す非接触ＩＣカード１は、外部装置４からインターフェースを介してアンテナ回路３１０、または、外部端子３１１、から信号を受信してＩＣチップ３の前述の充電回路によって、補助電源部２０に電力を供給する状態を示している。
外部装置４とインターフェースを介してＩＣカードのＩＣチップと交信すると共に、一方では、スイッチ回路２２によって補助電源２０に電力を供給する。
アンテナ回路３１０には、図の等価回路により示されるようなＬＣ並列共振回路等からなるアンテナ回路が設けられている。Ｌ１は、コイルのインダクタンス、Ｃ１は、それぞれ、コンデンサの容量を示している。
図では省略してあるが、充電回路は、ダイオードと、並列に接続された抵抗とダイオードとから構成されている。
【００３１】
（実施例２）
図１、図４を参照して、本発明の他の実施例である太陽電池を使用する補助電源付情報記録媒体について説明する。
カード１の表面に設けられた外部端子３１１は、例えば電源電圧入力用の端子、クロック信号入力用の端子、データ入出力用の端子、リセット信号入力用の端子、および、グランド用端子を有している。
本実施例のＩＣカード１は、接触型、非接触型両用カードなので、アンテナ３１０を有し、外部装置４からインターフェースを介して非接触で電力が供給されている。
【００３２】
非接触ＩＣカード１には、（図５に示すように）ＩＣチップ３を搭載しているＩＣモジュール３０が実装されている。
ＩＣチップ３には、演算機能等を有するＣＰＵ３２、ＣＰＵ動作時のデータを格納するＲＡＭ３４、プログラムを格納するＲＯＭ３３、ＩＣカード固有の情報等を格納するＥＥＰＲＯＭ３５、表示媒体ドライバ１３２、電圧検出回路２１、補助電源部（太陽電池）２０と、通信によってアンテナ３１０から供給される外部電源を切り換えるスイッチ回路１（２３）、ＥＥＰＲＯＭ３５に対する読出し時と書込み時を切り換える切換手段であるスイッチ回路２（２２）が形成されている。
さらに、図示していないが、外部からクロック信号を入力して内部で所定の周波数でかつ、所定のタイミングで内部クロック信号を生成するクロックコントローラが形成されている。
【００３３】
表示媒体ドライバ１３２は、表示媒体２に接続されると共に、太陽電池２０、および、ＣＰＵ３２に接続されている。
また、通常、通信によって外部装置４から供給される電力と、ＩＣカードに内蔵された補助電源部である太陽電池２０との電源切換手段の１つである電圧検出回路２１はＣＰＵ３２に接続され、スイッチ回路１（２３）に接続されている。
電圧検出回路２１は、ＣＰＵ３２から出力されるバイアス信号により動作し、通常のＩＣカードを駆動すべき状態と、表示媒体ドライバ１３２を駆動すべき状態を検出し、スイッチ回路１（２３）を切り換えるための制御信号を出力すると共に、クロックコントローラを切り換えるための制御信号を出力する。
【００３４】
スイッチ回路１（２３）に接続されたスイッチ回路２（２２）は、ＣＰＵ３２からの制御信号に基づき、ＥＥＰＲＯＭ３５に対する読出しまたは書込みを行うための供給電圧の切換えを制御する機能を有すると共に、ＥＥＰＲＯＭ３５に対する書込み時には、スイッチ回路１（２３）を操作して太陽電池４による電力をＥＥＰＲＯＭ３５に供給する機能を持っている。
【００３５】
図１を参照して表示媒体に表示情報を表示する方式について説明する。
この実施例の場合は、表示情報１３２をＥＥＰＲＯＭ３５に格納している。
ＥＥＰＲＯＭ３５には、表示媒体に表示するための表示情報と、同じ情報が２つ格納される。ＥＥＰＲＯＭ３５に格納された前記２つの情報は、内容は同じであるが、１つは暗号化された情報であり、もう１つは表示媒体に表示されるように加工された情報である。表示情報１３５は、ＩＣカード１が、外部装置と交信した際にＥＥＰＲＯＭに書き込まれ格納される。
表示媒体２に表示情報１３５を表示する手順は、まず、ＩＣカード１の利用者がＩＣカード上に設けられた操作ボタンを操作して電源部から電力を供給する。
ＣＰＵ３２と、表示媒体ドライバ１３２が起動され、ＣＰＵ３２が上記ＥＥＰＲＯＭ３５に格納されている表示情報１３５を読み込んで、表示媒体ドライバ１３２を駆動して表示媒体２に表示する。
【００３６】
図５を参照して、表示媒体付き接触型非接触型両用カードの一例について説明する。
ＩＣカード１の中央部に表示媒体２が形成されている。また、表示媒体には消費電力が少ない液晶が使用されている。前記液晶による表示媒体２は、ＩＣモジュール３０に実装されたＩＣチップのメモリに接続されている。
カード基体には、ＩＣカード１のカード基体の周辺に沿ってアンテナ３１０が埋設されており、その終端はＩＣチップのアンテナ接続端子に接続されている。
図５に示すＩＣカードは、接触型非接触型両用カードであるため、外部装置接続端子３０がカードの表面に露出して形成されている。また、外部端子が形成されている面と同じ表面に表示媒体に情報を表示するための専用ボタンが形成されている。操作ボタン３１２は、外部端子の予備端子を経由してＩＣチップのＶｃｃ端子に接続されている。本実施例では、操作ボタンは錆びにくいニッケルによる２つの接点で構成されており、人の指が前記２つの接点に同時に触れると導通して電力が流れるようになっている。
操作ボタン３１２によって電源が起動され表示媒体２に表示情報１３５が出力される。
【００３７】
【発明の効果】
補助電源を使用することによりＩＣカードが外部装置と交信中以外でもカードに電力を供給することができ、表示媒体に情報を表示することが可能になった。
また、本発明は、ＩＣカードが外部装置と交信を行っている間は、外部装置から供給された電源によってのみ動作し、補助電源は使用しないようにしたことも特徴で、このことによって、ＩＣカードの記憶部に対し安定した電圧で情報を記録することができ、補助電源でこれら記録された情報の一部を表示できるようになった。
【図面の簡単な説明】
【図１】本発明の補助電源付情報記録媒体の内部構成について説明するためのブロック図
【図２】非接触ＩＣカードに設けられた周波数切替手段の構成を示すブロック図
【図３】非接触ＩＣカードに設けられた充電モード切替手段の構成を示すブロック図
【図４】非接触ＩＣカードのアンテナ内に設けられたアンテナ回路と充電回路の構成を示すブロック図
【図５】本発明の補助電源付情報記録媒体の１実施例の表面平面図である。
【符号の説明】
１      本発明の補助電源付情報記録媒体
２      表示媒体
３      ＩＣチップ
４      外部装置
２０    補助電源部
２１    電圧検出回路
２２、２３  スイッチ回路
３０    ＩＣモジュール（外部端子）
３１    外部端子・アンテナ・操作ボタンなどのインターフェース部
３２    マイクロプロセッサ（ＣＰＵ）
３３    ＲＯＭ
３４    ＲＡＭ
３５    ＥＥＰＲＯＭ
１３２  表示媒体ドライバ
１３５  表示情報
２０１  通信コントローラ内蔵ＭＣＵ
２０２  変調回路
２１１  充電回路
２１２  受信ゲート
２１３  復調回路
２１４  ＵＲＡＴ
２１５  クロック抽出
２１６  充電解除コマンド照合回路
２１７  ＡＮＤ回路
２１８  ＯＲ回路
２１９  リセット回路
２２０  モード切替
２２１  リセット受信回路
３０１  プリスケーラ
３０２  分周器
３０３  切替スイッチ
３０４  発振回路
３０５  発振子
３１０  アンテナ（アンテナ回路）
３１１  外部端子
３１２  操作ボタン
【図１】
0004811549.tif 000002
【図２】
0004811549.tif 000003
【図３】
0004811549.tif 000004
【図４】
0004811549.tif 000005
【図５】
0004811549.tif 000006